(57)【特許請求の範囲】
【請求項１】
ノズルに形成されたポートの内壁面に、交差方向に延在したオリフィスが開口するノズル構造において、
前記オリフィスに直交する平らな平面部を前記内壁面に形成し、前記ノズルの本体に一体形成された前記オリフィスを前記平面部に開口するとともに、
少なくとも該平面部に対向した前記内壁面の部位に、金型成形時の離型を容易とする抜き勾配を当該ポートの長さ方向全長に渡って設定したことを特徴とするノズル構造。
【請求項２】
前記平面部を、前記ノズルの中心線に対して平行に形成する一方、
少なくとも前記平面部に対向した前記内壁面の部位を前記中心線に対して傾斜して前記抜き勾配を設定したことを特徴とする請求項１記載のノズル構造。
【発明の詳細な説明】
【０００１】
【発明の属する技術分野】
本発明は、流体が通流するノズルを備えた電磁弁のノズル構造に関する。
【０００２】
【従来の技術】
流体の圧力制御や流量制御を行う際には、電磁弁が用いられており、電磁弁には、図６に示すように、オイルなどの流体が通流するノズル１０１が設けられている。
【０００３】
該ノズル１０１には、リング板状のシート１１１がインサート成形されており、該シート１１１には、通流孔１１２が開設されている。このシート１１１の下部には、下方に開口した円形穴からなる出力ポート１１３が形成されており、その内側面１１４には、交差方向に延在した入力ポート１１５が開口している。該入力ポート１１５には、通流する流体を絞る小径のオリフィス１１６が形成されており、このオリフィス１１６は、当該電磁弁の仕様に応じて設計された径寸法及び長さ寸法に設定されている。
【０００４】
そして、前記シート１１１の上部には、弁室１２１が形成されており、該弁室１２１には、ドレンポート１２２が形成されている。
【０００５】
このノズル１０１は、金型を用いた樹脂成形により形成されており、前記出力ポート１１３は、円柱状の中金型によって形成されるとともに、前記入力ポート１１５は、前記中金型に垂直に当接されるピン状の側部金型によって形成されている。
【０００６】
【発明が解決しようとする課題】
しかしながら、このようなノズル構造にあっては、出力ポート１１３が円形穴により形成されているため、入力ポート１１５のオリフィス１１６の開口部が曲面上に形成されることとなる。このため、前記オリフィス１１６を機能させるために設計された長さ寸法の管理が難しかった。
【０００７】
また、樹脂成型時には、出力ポート１１３を形成する円柱状の中金型に、前記入力ポート１１５を形成するピン状の側部金型の端面を当接させるため、入力ポート１１５のオリフィス１１６の開口縁にバリが生じやすく、バリ取り作業に苦労を要した。
【０００８】
本発明は、このような従来の課題に鑑みてなされたものであり、オリフィスの寸法管理が容易で開口縁でのバリの発生を抑えることができるノズル構造を提供することを目的とするものである。
【０００９】
【課題を解決するための手段】
前記課題を解決するために本発明の請求項１のノズル構造にあっては、ノズルに形成されたポートの内壁面に、交差方向に延在したオリフィスが開口するノズル構造において、前記オリフィスに直交する平らな平面部を前記内壁面に形成し、前記ノズルの本体に一体形成された前記オリフィスを前記平面部に開口するとともに、少なくとも該平面部に対向した前記内壁面の部位に、金型成形時の離型を容易とする抜き勾配を当該ポートの長さ方向全長に渡って設定した。
【００１０】
すなわち、ポートに対して交差方向に延在するオリフィスは、ポートの内壁面における平面部に開口しており、当該オリフィスの端部を構成する開口部が平面上に形成される。これにより、当該オリフィス端部までの長さ寸法の管理が容易となる。
【００１１】
そして、このオリフィスを形成するピン状の金型は、前記ポートの平面部を形成する中金型の平面部分に当接される。
【００１２】
このとき、オリフィスを形成するピン状の金型と、ポートの平面部を形成する中金型との当接角度を直角に保つことができ、金型成型時の離型が容易となる。
【００１３】
また、請求項２のノズル構造においては、前記平面部を、前記ノズルの中心線に対して平行に形成する一方、少なくとも前記平面部に対向した前記内壁面の部位を前記中心線に対して傾斜して前記抜き勾配を設定した。
【００１４】
【発明の実施の形態】
以下、本発明の一実施の形態を図に従って説明する。図１は、本実施の形態にかかるノズル構造のノズル１を備えた電磁弁２を示す図であり、該電磁弁２は、出力圧を制御するものである。この図には、非通電時における出力圧が高いノーマリーハイ（Ｎ／Ｈ）タイプの比例電磁弁２が示されている。
【００１５】
この電磁弁２は、筒状のカバー１１を備えており、該カバー１１内には、樹脂製の成型部材１２が内嵌されている。該成型部材１２には、金属製のブラケット１３がインサート成形されており、該ブラケット１３を境とした上部には、前記カバー１１に内嵌する筒状のボビン１４が形成されている。該ボビン１４には、コイル１５が巻回されており、ソレノイド１６が形成されている。
【００１６】
このボビン１４内には、アッセンブリー部材２１が内嵌されており、該アッセンブリー部材２１は、ヨーク２２と、該ヨーク２２の上端部に外嵌したガイド２３と、該ガイド２３に下端部が内嵌したコア２４と、該コア２２及びヨーク２４間に上下動自在に保持されたプランジャー２５とにより構成されている。このプランジャー２５は、コイルスプリング２６によって下方に付勢されており、当該プランジャー２５に設けられたロッド２７の下端部が下方に延出するように構成されている。
【００１７】
このアッセンブリー部材２１は、下端部周縁が前記ブラケット１３に支持されており、アッセンブリー部材２１の上端には、リング板状のカバープレート３１が載置されている。このカバープレート３１は、前記カバー１１の上端が内側に折曲されてなる上部カシメ部３２によって固定されており、前記アッセンブリー部材２１は、前記ブラケット１３と前記カバープレート３１とに挟持された状態で固定されている。
【００１８】
また、前記成型部材１２には、前記ブラケット１３を境とした下部に、前記カバー１１より下方に延出する前記ノズル１が形成されており、該ノズル１には、通流孔４１を有したリング板状のシート４２がインサート成形されている。該シート４２の下部には、下方に開口した出力ポート４３が形成されており、該出力ポート４３には、直交方向に延在した入力ポート４４が連通している。
【００１９】
前記出力ポート４３は、図２に示すように、円形穴の一部が平面状に形成された円形すり割り形状に形成されており、その内側面５１は、円弧状に湾曲した曲面部５２と、上下に延在する平らな平面部５３とにより構成されている。該平面部５３は、図３に示すように、前記入力ポート４４に直交するとともに、当該ノズル１の中心線５４に平行するように形成されている。この出力ポート４３は、内径寸法が下方に向かうに従って大きくなるように構成されており、前記平面部５３以外を形成する曲面部５２の部位が、下方へ向かうに従って中心線５４から離れるように傾斜している。これにより、前記曲面部５２には、金型成形時の離型を容易とする抜き勾配が設定されている。
【００２０】
前記入力ポート４４は、側面側を構成する大径の調整穴６１と、該調整穴６１より内側に設けられた小径のオリフィス６２とにより構成されており、該オリフィス６２は、前記出力ポート４３内側面５１の平面部５３に開口するように構成されている。このオリフィス６２は、当該入力ポート４４から流入する流体を絞るように構成されており、当該電磁弁２の仕様に応じて設計された径寸法及び長さ寸法に設定されている。すなわち、ノズル１の肉厚に応じて調整穴６１の深さが調整されることによって、前記オリフィス６２の長さ寸法が設定されている。
【００２１】
そして、前記シート４２の上部には、弁室７１が形成されており、該弁室７１には、側方に開口したドレンポート７２が連通している。これにより、図１に示したように、前記ソレノイド１６への通電が遮断された非通電時には、前記サブアッセンブリー部材２１から延出したロッド２７下端の弁部７３が、前記ノズル１にインサート形成されたシート４２の通流孔４１を閉鎖するように構成されており、この状態において、出力ポート４３からの出力圧が、入力ポート４４からの流体と同圧となるように構成されている。
【００２２】
また、前記ソレノイド１６が通電された通電時には、前記サブアッセンブリー部材２１のプランジャー２５が上動し、ロッド２７下端の弁部７３がソレノイド電流に比例して前記通流孔４１を開放するように構成されており、入力ポート４４のオリフィス６２を介して流入する流体をドレンポート７２から排出し、出力ポート４３からの出力圧が前記オリフィス６２を通過する流体によって定められる圧力を最大値として制御されるように構成されている。
【００２３】
以上の構成にかかる本実施の形態において、ノズル１の出力ポート４３に対して直交して延在する入力ポート４４のオリフィス６２は、出力ポート４３内壁面５１の平面部５３に開口されており、当該オリフィス６２端の開口部は平面上に形成されている。したがって、オリフィス６２の開口部が円形穴の曲面上に形成される従来と比較して、オリフィス６２端までの長さ寸法の管理が容易となり、性能を左右するオリフィス６２の寸法精度を向上することができる。
【００２４】
また、このオリフィス６２を形成するピン状の金型は、前記出力ポート４３の平面部５３を形成する中金型の平面部分に当接されることとなる。このため、ピン状の金型の端面が円柱状の中金型の側面に当接される従来と比較して、オリフィス６２の開口縁でのバリの発生を抑えることができる。これにより、バリ取り作業等の後処理が容易となる。
【００２５】
そして、前記平面部５３は、前記オリフィス６２に直交して形成されており、前記平面部５３を除く曲面部５２は、下方へ向かうに従って中心線５４から離れるように傾斜され、金型成形時の離型を容易とする抜き勾配が設定されている。このため、オリフィス６２を形成するピン状の金型と、出力ポート４３の平面部５３を形成する中金型との当接角度を直角に維持しつつ、金型成型時の離型を容易とすることができる。したがって、成型時の作業性を損なうこと無く、オリフィス６２の寸法精度を高めることができる。
【００２６】
なお、本実施の形態においては、ノズル１の出力ポート４３を、円形穴の一部が平面状に形成された円形すり割り形状の孔によって構成した場合を例に挙げて説明したが、これに限定されるものではなく、前記オリフィス６２が開口する部分のみを平面としても良い。また、図４に示すように、出力ポート４３を、断面三角形状（（ａ）参照）、断面四角形状（（ｂ）参照）、断面五角形状（（ｃ）参照）、断面六角形状（（ｄ）参照）に形成するとともに、その一平面に前記オリフィス６２を開口しても良い。
【００２７】
しかし、出力ポート４３を通流する流体内のコンタミの滞留を考慮すると、本実施の形態のように角部の少ない円形すり割り形状が好ましい。
【００２８】
一方、図５は、本発明を、非通電時における出力圧が低いノーマリーロウ（Ｎ／Ｌ）タイプの電磁弁８１に応用した例を示す断面図であり、前述した実施の形態と同一又は同一機能部分については同符号を付して説明を省略し、異なる部分に付いてのみ説明する。
【００２９】
すなわち、前述した実施の形態においてプランジャー２５のロッド２７上端部に外嵌されたコイルスプリング２６が廃止されている。また、プランジャー２５を内嵌するボビン１４内には、下部にコア８２が、また上部にヨーク８３が配設されている。
【００３０】
これにより、前記ソレノイド１６への通電が遮断された非通電時には、入力ポート４４からの流体の圧力をプランジャー２５のロッド２７が受けて上動することで、入力ポート４４のオリフィス６２を介して流入する流体をドレンポート７２から排出し、出力ポート４３からの出力圧を低下できるように構成されている。また、ソレノイド１６が通電された際には、前述した流体の圧力により上動したプランジャー２５を下方へ作動し、ロッド２７下端の弁部７３で通流孔４１を閉鎖することによって、出力ポート４３からの出力圧を、入力ポート４４からの流体の圧力まで上昇できるように構成されている。
【００３１】
このように非通電時における出力圧が低いノーマリーロウ（Ｎ／Ｌ）タイプの電磁弁８１においても、前述した実施の形態と同様の効果を得ることができる。
【００３２】
【発明の効果】
以上説明したように本発明の請求項１のノズル構造にあっては、オリフィスを、ポートの内壁面に形成された平面部に開口することで、当該オリフィス端の開口部を平面上に形成することができる。したがって、オリフィスの開口部が円形穴の曲面上に形成される従来と比較して、オリフィス端までの長さ寸法の管理が容易となり、寸法精度を向上することができる。
【００３３】
そして、このオリフィスを形成するピン状の金型は、前記ポートの平面部を形成する中金型の平面部分に当接されるため、ピン状の金型の端面が円柱状の中金型の側面に当接される従来と比較して、オリフィスの開口縁でのバリの発生を抑えることができる。これにより、バリ取り作業等の後処理が容易となる。
【００３４】
また、ポート内壁面の平面部を、オリフィスに直交して形成し、この平面部に対向した内壁面の部位に抜き勾配を設定することで、オリフィスを形成するピン状の金型と、ポートの平面部を形成する中金型との当接角度を直角に維持し、かつ金型成型時の離型を容易とすることができる。これにより、成型時の作業性を損なうこと無く、オリフィスの寸法精度を高めることができる。
【図面の簡単な説明】
【図１】  本発明の一実施の形態を示す断面図である。
【図２】  同実施の形態のノズルを示す模式図である。
【図３】  同実施の形態のノズルの断面を示す拡大図である。
【図４】  本発明の他の実施の形態を示す模式図である。
【図５】  本発明を他の電磁弁に応用した例を示す断面図である。
【図６】  従来のノズルを示す要部の断面図である。
【符号の説明】
１    ノズル
２    電磁弁
４３    出力ポート
４４    入力ポート
５１    内側面
５３    平面部
５４    中心線
６２    オリフィス
【図１】
0004067772.tif 000002
【図２】
0004067772.tif 000003
【図３】
0004067772.tif 000004
【図４】
0004067772.tif 000005
【図５】
0004067772.tif 000006
【図６】
0004067772.tif 000007